(57)【要約】本発明は干渉を制御する方法に関する。前記干渉は、ワイヤレスセルラー通信ネットワークのワイヤレス通信装置によって転送される無線信号によって、または、ワイヤレスセルラー通信ネットワークのワイヤレス通信装置へと転送される無線信号によって、生成されるものである。前記方法は、  ‐少なくとも１つのワイヤレス通信装置グループを形成するステップと、  ‐前記グループの各ワイヤレス通信装置に、少なくとも１つの識別子を割り当てるステップであって、    ・前記少なくとも１つの識別子はグループ識別子であり、前記ワイヤレス通信装置グループの各ワイヤレス通信装置に割り当てられ、    ・前記グループ識別子は、別の識別子と並列に、各ワイヤレス通信装置によって移動端末に転送されることを意図される、  少なくとも１つの識別子を割り当てるステップと、  ‐前記グループの各ワイヤレス通信装置へと転送される無線信号によって、または、前記グループの各ワイヤレス通信装置によって転送される無線信号によって、生成される干渉を制御するための、同じパラメータを割り当てるステップとを含む。
2013511875.tif 000002
【特許請求の範囲】
【請求項１】
干渉を制御する方法であって、
前記干渉は、ワイヤレスセルラー通信ネットワークのワイヤレス通信装置によって転送される無線信号によって、または、ワイヤレスセルラー通信ネットワークのワイヤレス通信装置へと転送される無線信号によって、生成されるものである、方法において、
前記方法は、
‐少なくとも１つのワイヤレス通信装置グループを形成するステップと、
‐前記ワイヤレス通信装置グループの各ワイヤレス通信装置に、少なくとも１つの識別子を割り当てるステップであって、
・前記少なくとも１つの識別子はグループ識別子であり、前記ワイヤレス通信装置グループの各ワイヤレス通信装置に割り当てられ、
・前記グループ識別子は、前記ワイヤレス通信装置グループの各ワイヤレス通信装置とは共有されない別の識別子と並列に、前記ワイヤレス通信装置グループの各ワイヤレス通信装置によって移動端末に転送されることを意図される、
少なくとも１つの識別子を割り当てるステップと、
‐前記ワイヤレス通信装置グループの各ワイヤレス通信装置へと転送される無線信号によって、または、前記ワイヤレス通信装置グループの各ワイヤレス通信装置によって転送される無線信号によって、生成される干渉を制御するための、同じパラメータを割り当てるステップと
を含むことを特徴とする、方法。
【請求項２】
前記グループ識別子と、前記無線信号によって生成される干渉を制御するための前記パラメータとが情報の対を形成し、
前記情報の対は、前記ワイヤレス通信装置のアップリンクチャネルのために、またはダウンリンクチャネルのために意図される
ことを特徴とする、請求項１に記載の方法。
【請求項３】
前記方法は、さらに、
‐少なくとも１つの移動端末によって、および／または、少なくとも１つのワイヤレス通信装置によって、および／または、少なくとも１つの基地局によって、受信される干渉を表す情報を受信するステップと、
‐干渉を表す前記情報に基づいて、無線信号によって生成される干渉を制御するための別のパラメータを決定するステップと、
‐無線信号によって生成される干渉を制御するための前記別のパラメータに基づいて、前記ワイヤレス通信装置グループの少なくとも一部をなすワイヤレス通信装置のそれぞれに割り当てられるべき別のグループ識別子を決定するステップと、
‐前記ワイヤレス通信装置グループの前記少なくとも一部に、前記別のグループ識別子を、および／または、無線信号によって生成される干渉を制御するための前記別のパラメータを、転送するステップと
を含むことを特徴とする、請求項１または２に記載の方法。
【請求項４】
前記方法は、基地局または前記ワイヤレスセルラー通信ネットワークのコーディネータによって実行されることを特徴とする、請求項１〜３のいずれか一項に記載の方法。
【請求項５】
干渉を制御する方法であって、
前記干渉は、ワイヤレスセルラー通信ネットワークのワイヤレス通信装置によって転送される無線信号によって、または、ワイヤレスセルラー通信ネットワークのワイヤレス通信装置へと転送される無線信号によって、生成されるものである、方法において、
前記方法は、少なくとも１つのワイヤレス通信装置によって実行される複数のステップとして、
‐情報の対を取得するステップであって、前記情報の対は、
・前記ワイヤレス通信装置基地局によって移動端末に転送されることを意図される前記ワイヤレス通信装置の第１の識別子と、
・前記ワイヤレス通信装置によって転送される無線信号によって、または、前記ワイヤレス通信装置へと転送される無線信号によって、生成される干渉を制御するための、パラメータと
によって形成される、情報の対を取得するステップと、
‐前記ワイヤレス通信装置によって転送されることを意図される、前記ワイヤレス通信装置の第２の識別子を取得するステップと、
‐前記第１の識別子および第２の識別子を移動端末に転送するステップと、
‐無線信号によって生成される干渉を制御するための前記パラメータに従って無線信号を転送するステップか、または、少なくとも１つの移動端末によって転送される無線信号によって生成される干渉を制御するための前記パラメータに関連する情報を含むメッセージを、前記少なくとも１つの移動端末に転送するステップと
を含むことを特徴とする、方法。
【請求項６】
前記情報の対は、前記ワイヤレス通信装置のアップリンクチャネルのために、またはダウンリンクチャネルのために意図されることを特徴とする、請求項５に記載の方法。
【請求項７】
‐前記ワイヤレス通信装置の前記第１の識別子、および／または、
‐前記ワイヤレス通信装置によって転送または受信される無線信号によって生成される干渉を制御するための前記パラメータ
は、前記ワイヤレスセルラー通信ネットワークのコーディネータによって転送されるメッセージから取得されることを特徴とする、請求項６に記載の方法。
【請求項８】
‐前記ワイヤレス通信装置の前記識別子、および／または、
‐前記ワイヤレス通信装置によって転送または受信される無線信号によって生成される干渉を制御するための前記パラメータ
は、前記ワイヤレスセルラー通信ネットワークの基地局によって転送されるメッセージから取得されることを特徴とする、請求項６に記載の方法。
【請求項９】
前記ワイヤレス通信装置に、２つの異なる通信装置によって少なくとも２対の情報が割り当てられることを特徴とし、かつ、
前記方法は、
‐前記受信した情報の対のうち少なくとも１つを選択するステップと、
‐前記少なくとも１つの選択された情報の対の識別子を、移動端末に転送するステップと、
‐受信した１つのパラメータセットに従って、または、前記受信した情報の対の少なくとも２つのパラメータセットから導出された１つのパラメータセットに従って、無線信号を転送するステップか、または、受信した１つのパラメータセットに関連する情報を含むメッセージまたは前記受信した情報の対の少なくとも２つのパラメータセットから導出された１つのパラメータセットに関連する情報を含むメッセージを、少なくとも１つの移動端末に転送するステップと
を含むことを特徴とする、請求項６に記載の方法。
【請求項１０】
干渉を制御する装置であって、
前記干渉は、ワイヤレスセルラー通信ネットワークのワイヤレス通信装置によって転送される無線信号によって、または、ワイヤレスセルラー通信ネットワークのワイヤレス通信装置へと転送される無線信号によって、生成されるものである、装置において、
干渉を制御する前記装置は、
‐少なくとも１つのワイヤレス通信装置グループを形成する手段と、
‐前記ワイヤレス通信装置グループの各ワイヤレス通信装置に、少なくとも１つの識別子を割り当てる手段であって、
・前記少なくとも１つの識別子はグループ識別子であり、前記ワイヤレス通信装置グループの各ワイヤレス通信装置に割り当てられ、
・前記グループ識別子は、前記ワイヤレス通信装置グループの各ワイヤレス通信装置とは共有されない別の識別子と並列に、前記ワイヤレス通信装置グループの各ワイヤレス通信装置によって移動端末に転送されることを意図される、
少なくとも１つの識別子を割り当てる手段と、
‐前記ワイヤレス通信装置グループの各ワイヤレス通信装置へと転送される無線信号によって、または、前記ワイヤレス通信装置グループの各ワイヤレス通信装置によって転送される無線信号によって、生成される干渉を制御するための、同じパラメータを割り当てる手段と
を備えることを特徴とする、装置。
【請求項１１】
干渉を制御する装置であって、
前記干渉は、ワイヤレスセルラー通信ネットワークのワイヤレス通信装置によって転送される無線信号によって、または、ワイヤレスセルラー通信ネットワークのワイヤレス通信装置へと転送される無線信号によって、生成されるものである、装置において、
干渉を制御する前記装置はワイヤレス通信装置に含まれることを特徴とし、かつ、
干渉を制御する前記装置は、
‐情報の対を取得する手段であって、前記情報の対は、
・前記ワイヤレス通信装置基地局によって移動端末に転送されることを意図される前記ワイヤレス通信装置の第１の識別子と、
・ワイヤレス通信装置によって転送される無線信号によって、または、ワイヤレス通信装置へと転送される無線信号によって、生成される干渉を制御するための、パラメータと
によって形成される、情報の対を取得する手段と、
‐前記ワイヤレス通信装置によって転送されることを意図される、前記ワイヤレス通信装置の第２の識別子を取得する手段と、
‐前記第１の識別子および第２の識別子を移動端末に転送する手段と、
‐無線信号によって生成される干渉を制御するための前記パラメータに従って無線信号を転送するか、または、少なくとも１つの移動端末によって転送される無線信号によって生成される干渉を制御するための前記パラメータに関連する情報を含むメッセージを、前記少なくとも１つの移動端末に転送する手段と
を備えることを特徴とする、装置。
【請求項１２】
プログラマブル装置に直接ロード可能とすることができるコンピュータプログラムであって、前記コンピュータプログラムがプログラマブル装置上で実行されると請求項１〜４のいずれか一項に記載の方法の各ステップを実施させるための命令またはコード部を含む、コンピュータプログラム。
【請求項１３】
プログラマブル装置に直接ロード可能とすることができるコンピュータプログラムであって、前記コンピュータプログラムがプログラマブル装置上で実行されると請求項５〜９のいずれか一項に記載の方法の各ステップを実施させるための命令またはコード部を含む、コンピュータプログラム。
【発明の詳細な説明】
【技術分野】
【０００１】
無線信号によって生成される干渉を制御する方法および装置
本発明は、概して、ワイヤレスセルラー通信ネットワークの、ワイヤレス通信装置によって転送される無線信号によって、または、ワイヤレス通信装置へと転送される無線信号によって、生成される干渉を制御する方法および装置に関する。
【０００２】
基地局および移動端末によって生成される干渉を回避するために、セル間干渉制御(inter-cell interference coordination)（ＩＣＩＣ）技術が発展してきた。
【０００３】
従来、移動端末は、その移動端末にサービングしている基地局に、隣接する基地局から受ける干渉を報告する。また、基地局は、隣接する基地局がサービングしている移動端末から被る干渉を推定する。各基地局は、また、効率的なＩＣＩＣを行うために、互いにメッセージを交換する。
【０００４】
シャドーイング(shadowing)がない場合、干渉レベルは各基地局を隔てる距離に依存する。基地局間の距離が大きくなるほど干渉は小さくなる。また、これは各基地局の送信パワーに依存する。
【０００５】
シャドーイングがある場合、干渉レベルは、基地局間の距離と各送信出力だけに関連するわけではない。干渉は、各移動端末と２つの基地局との間のシャドーイングにも依存する。
【０００６】
従来のワイヤレスセルラー通信ネットワークでは、各基地局は、その基地局のセルごとに、またはセルのセクタごとに、物理セルＩＤ(physical cell identity)（ＰＣＩＤ）のような識別子を有する。ＰＣＩＤは、物理層においてその基地局のセルやセクタを特徴付ける。
【０００７】
たとえば、ＰＣＩＤは２つのシーケンスに関連付けられる。第１のシーケンスはＰＳＣシーケンスまたは一次同期信号(Primary Synchronisation Signal)（ＰＳＳ）と呼ばれ、一次同期チャネル(Primary Synchronisation Channel)（ＰＳＣ）において転送される。第２のシーケンスはＳＳＣシーケンスまたは二次同期信号(Secondary Synchronisation Signal)（ＳＳＳ）と呼ばれ、二次同期チャネル(Secondary Synchronisation Channel)（ＳＳＣ）において転送される。
【０００８】
たとえば、ワイヤレスセルラー通信ネットワークにおいて、それぞれ良好な時間的自己相関特性を持つ３つのＰＳＣシーケンスが利用可能である。
【０００９】
たとえば、ＰＣＩＤの識別に加え、ＰＳＣシーケンスを用いて、ＳＳＣシーケンスのコヒーレントな検出を可能にする粗い同期およびチャネル推定を行うことができる。さらに、ＰＣＩＤの識別に加え、ＳＳＣシーケンスを同期の精緻化に用いてもよい。
【００１０】
たとえば、これら３つのＰＳＣシーケンスは、同期した３つの異なるセルの効率的な時間的同期を保証するために、擬似的に直交する。
【００１１】
たとえば、ワイヤレスセルラー通信ネットワークにおいて、互いに低い相互相関を持つ１６８個のＳＳＣシーケンスが利用可能である。
【００１２】
上述の例によれば、ＰＣＩＤの総数は５０４に等しい。
【００１３】
今日では、ワイヤレスセルラー通信ネットワークは広く展開されているが、ワイヤレスセルラー通信ネットワークの基地局がカバーしていないエリアもいまだに存在する。
【００１４】
基地局によって放射される信号が過度に減衰する場合、建物内に位置する移動端末はワイヤレスセルラー通信ネットワークにアクセスできない場合がある。
【００１５】
今日ではいくつかの解決策が提案されている。特定のワイヤレス通信装置（ホーム基地局、フェムト基地局またはピコ基地局のようなもの）が、少なくとも建物内のカバレッジエリアを提供する。中継器も考慮される。
【００１６】
ホーム基地局は、それぞれのリソースを介して、限定された数の移動端末がワイヤレスセルラー通信ネットワークにアクセスできるようにする。 
【００１７】
中継器は、それぞれのリソースを介して、限定された数の移動端末がワイヤレスセルラー通信ネットワークにアクセスできるようにするために、基地局によって転送される信号および／または中継器が基地局に転送する信号に依存する。
【００１８】
たとえば、中継器は、自身が基地局やホーム基地局であるかのように自身の信号を送信するワイヤレス通信装置である。移動端末は、その中継器が基地局やホーム基地局であるかのように、中継器と通信する。しかしながら、通信ネットワークに対して有線接続を有する基地局やホーム基地局とは異なり、中継器は基地局やホーム基地局と無線接続を有するのみであり、通信ネットワークに対する中継器の接続は基地局やホーム基地局を介してなされる。
【００１９】
コンスタントなカバレッジエリアサイズの縮小とスペクトル効率の増大により、ホーム基地局および／または中継器の量が非常に重要となり、従来のＩＣＩＣ技術が使えない状況が起こり得る。
【００２０】
本発明は、ホーム基地局および／または中継器のようなワイヤレス通信装置が展開されるワイヤレスセルラー通信ネットワークにおいて、セル間干渉制御技術を使用可能とする解決策を提供することを目的とする。
【００２１】
この目的のために、本発明は、
干渉を制御する方法であって、
前記干渉は、ワイヤレスセルラー通信ネットワークのワイヤレス通信装置によって転送される無線信号によって、またはワイヤレスセルラー通信ネットワークのワイヤレス通信装置へと転送される無線信号によって生成されるものである、方法において、
前記方法は、
‐少なくとも１つのワイヤレス通信装置グループを形成するステップと、
‐前記ワイヤレス通信装置グループの各ワイヤレス通信装置に、少なくとも１つの識別子を割り当てるステップであって、
・前記少なくとも１つの識別子はグループ識別子であり、前記ワイヤレス通信装置グループの各ワイヤレス通信装置に割り当てられ、
・前記グループ識別子は、前記ワイヤレス通信装置グループの各ワイヤレス通信装置とは共有されない別の識別子と並列に、前記ワイヤレス通信装置グループの各ワイヤレス通信装置によって移動端末に転送されることを意図される、
少なくとも１つの識別子を割り当てるステップと、
‐前記ワイヤレス通信装置グループの各ワイヤレス通信装置へと転送される無線信号によって、または、前記ワイヤレス通信装置グループの各ワイヤレス通信装置によって転送される無線信号によって、生成される干渉を制御するための、同じパラメータを割り当てるステップと
を含むことを特徴とする、方法に関する。
【００２２】
また、本発明は、干渉を制御する装置であって、
前記干渉は、ワイヤレスセルラー通信ネットワークのワイヤレス通信装置によって転送される無線信号によって、またはワイヤレスセルラー通信ネットワークのワイヤレス通信装置へと転送される無線信号によって生成されるものである、装置において、
干渉を制御する前記装置は、
‐少なくとも１つのワイヤレス通信装置グループを形成する手段と、
‐前記ワイヤレス通信装置グループの各ワイヤレス通信装置に、少なくとも１つの識別子を割り当てる手段であって、
・前記少なくとも１つの識別子はグループ識別子であり、前記ワイヤレス通信装置グループの各ワイヤレス通信装置に割り当てられ、
・前記グループ識別子は、前記ワイヤレス通信装置グループの各ワイヤレス通信装置とは共有されない別の識別子と並列に、前記ワイヤレス通信装置グループの各ワイヤレス通信装置によって移動端末に転送されることを意図される、
少なくとも１つの識別子を割り当てる手段と、
‐前記ワイヤレス通信装置グループの各ワイヤレス通信装置へと転送される無線信号によって、または、前記ワイヤレス通信装置グループの各ワイヤレス通信装置によって転送される無線信号によって、生成される干渉を制御するための、同じパラメータを割り当てる手段と
を備えることを特徴とする、装置にも関する。
【００２３】
したがって、ワイヤレス通信装置グループの各ワイヤレス通信装置が、無線信号によって生成される干渉を制御するために、同じ識別子と同じパラメータを共有するので、ホーム基地局および／または中継器のようなワイヤレス通信装置が展開されるワイヤレスセルラー通信ネットワークにおいて、セル間干渉制御技術が使用可能となる。
【００２４】
ある基地局に隣接する中継器、ホーム基地局または基地局によってサービングされる移動端末は、単一の基地局またはワイヤレス通信装置であるかのように、グループ全体についての測定値を報告することができる。少なくとも２つの識別子を送信することにより、移動端末は少なくとも２つの識別子について報告を作成できる。少なくとも１つの識別子は、データ通信が発生し移動端末がそのセルへとハンドオーバされる可能性が高い真のセル(true cell)に対応する。少なくとも１つの他の識別子はグループ識別子であり、データ通信が発生しない偽のセル(fake cell)に対応する。
【００２５】
この場合、隣接基地局やホーム基地局にとって、グループを、単一の基地局、ワイヤレス通信装置、セルまたはセクタであるかのように扱うのがより容易となる。
【００２６】
特定の特徴によれば、前記グループ識別子と、前記無線信号によって生成される干渉を制御するための前記パラメータとが情報の対を形成し、
前記情報の対は、前記ワイヤレス通信装置のアップリンクチャネルのために、またはダウンリンクチャネルのために意図される。
【００２７】
したがって、無線信号によって生成される干渉を、グループ識別子に応じてダウンリンクチャネルまたはアップリンクチャネルにおいて制御することが可能である。無線信号によって生成される干渉を制御するためのパラメータと、グループ識別子との間には直接の関係がある。無線信号によって生成される干渉を制御するためのパラメータは、ワイヤレス通信装置に新たなグループ識別子を割り当てることによって変更できる。無線信号によって生成される干渉を制御するための、１つのワイヤレス通信装置グループ全体のパラメータは、無線信号によって生成される干渉を制御するための新たなパラメータを、そのワイヤレス通信装置グループのグループ識別子に関連付け、情報の対を変更することによって修正可能である。
【００２８】
各対、したがって各グループ識別子を、アップリンクチャネルまたはダウンリンクチャネルに関連付けることが可能であるため、アップリンクチャネルとダウンリンクチャネルとで、無線信号によって生成される干渉を制御するための異なるパラメータを、異なるワイヤレス通信装置グループとともに用いることができる。実際に、アップリンクチャネルとダウンリンクチャネルとでは干渉の振る舞いが異なるので、個別のＩＣＩＣが必要となる可能性がある。
【００２９】
特定の特徴によれば、前記方法は、さらに、
‐少なくとも１つの移動端末によって、および／または、少なくとも１つのワイヤレス通信装置によって、および／または、少なくとも１つの基地局によって、受信される干渉を表す情報を受信するステップと、
‐干渉を表す前記情報に基づいて、無線信号によって生成される干渉を制御するための別のパラメータを決定するステップと、
‐無線信号によって生成される干渉を制御するための前記別のパラメータに基づいて、前記ワイヤレス通信装置グループの少なくとも一部をなすワイヤレス通信装置のそれぞれに割り当てられるべき別のグループ識別子を決定するステップと、
‐前記ワイヤレス通信装置グループの前記少なくとも一部に、前記別のグループ識別子を、および／または、無線信号によって生成される干渉を制御するための前記別のパラメータを、転送するステップと
を含む。
したがって、無線信号によって生成される干渉を制御するためのパラメータは、時間とともに（たとえば、基地局および／またはホーム基地局および／または中継器の設置または除去に伴って）変化する。
【００３０】
あるワイヤレス通信装置の無線信号によって生成される干渉を制御するためのパラメータは、グループ識別子を変更することによって変更可能である。ワイヤレス通信装置にとって、可能な情報の対(couple of information)（すなわち、１つのグループ識別子と、それに対応する無線信号によって生成される干渉を制御するためのパラメータとによって形成され得る情報の対）がすべて既知である場合、この変更は、新たなグループ識別子をそのワイヤレス通信装置にシグナリングし、その後、ワイヤレス通信装置が無線信号によって生成される干渉を制御するための新たなパラメータを演繹することによって実行可能である。
【００３１】
別法として、この変更は、無線信号によって生成される干渉を制御するための新たなパラメータをワイヤレス通信装置にシグナリングし、その後、ワイヤレス通信装置が新たなグループ識別子を演繹することによって実行可能である。ワイヤレス通信装置にとってすべての情報の対が既知でない場合には、新たな情報の対をワイヤレス通信装置にシグナリングすることができる。１つのグループ全体の、無線信号によって生成される干渉を制御するためのパラメータは、情報の対を変更する（すなわち、そのグループのグループ識別子に関連付けられた、無線信号によって生成される干渉を制御するためのパラメータを変更し、これをグループ内にブロードキャストする）ことによっても、変更可能である。 
【００３２】
別法として、無線信号によって生成される干渉を制御するための新たなパラメータが、グループ内でブロードキャストされてもよい。
【００３３】
別法として、新たな情報の対が、グループ内でブロードキャストされてもよい。
【００３４】
別法として、すべての新たな情報の対がブロードキャストされてもよい。すなわち、各ワイヤレス通信装置において、すべての情報の対（またはその一部）からなるリストが記憶され更新されてもよい。
【００３５】
特定の特徴によれば、前記方法は基地局またはワイヤレスセルラー通信ネットワークのコーディネータによって実行される。
【００３６】
したがって、基地局は、自身のカバレッジエリアにおいて、ワイヤレス通信装置によって、またはワイヤレス通信装置へ、転送される無線信号によって生成される干渉を制御（コーディネート）することができる。
【００３７】
コーディネータは、いくつかの基地局のカバレッジ下で、ワイヤレス通信装置によって転送される無線信号によって、または、ワイヤレス通信装置へと転送される無線信号によって、生成される干渉を制御できるものであってもよい。また、コーディネータは、各基地局のカバレッジエリアの境界において、ワイヤレス通信装置によって転送される無線信号によって、または、ワイヤレス通信装置へと転送される無線信号によって、生成される干渉をより良く制御できるものであってもよい。
【００３８】
また、本発明は、
干渉を制御する方法であって、
前記干渉は、ワイヤレスセルラー通信ネットワークのワイヤレス通信装置によって転送される無線信号によって、またはワイヤレスセルラー通信ネットワークのワイヤレス通信装置へと転送される無線信号によって生成されるものである、方法において、
前記方法は、少なくとも１つのワイヤレス通信装置によって実行される複数のステップとして、
‐情報の対を取得するステップであって、前記情報の対は、
・前記ワイヤレス通信装置基地局によって移動端末に転送されることを意図される前記ワイヤレス通信装置の第１の識別子と、
・前記ワイヤレス通信装置によって転送される無線信号によって、または、前記ワイヤレス通信装置へと転送される無線信号によって、生成される干渉を制御するための、パラメータと
によって形成される、情報の対を取得するステップと、
‐前記ワイヤレス通信装置によって転送されることを意図される、前記ワイヤレス通信装置の第２の識別子を取得するステップと、
‐前記第１の識別子および第２の識別子を移動端末に転送するステップと、
‐無線信号によって生成される干渉を制御するための前記パラメータに従って無線信号を転送するステップか、または、少なくとも１つの移動端末によって転送される無線信号によって生成される干渉を制御するための前記パラメータに関連する情報を含むメッセージを、前記少なくとも１つの移動端末に転送するステップと
を含むことを特徴とする、方法にも関する。
【００３９】
また、本発明は、
干渉を制御する装置であって、
前記干渉は、ワイヤレスセルラー通信ネットワークのワイヤレス通信装置によって転送される無線信号によって、またはワイヤレスセルラー通信ネットワークのワイヤレス通信装置へと転送される無線信号によって生成されるものである、装置において、
干渉を制御する前記装置はワイヤレス通信装置に含まれることを特徴とし、かつ、
干渉を制御する前記装置は、
‐情報の対を取得する手段であって、前記情報の対は、
・前記ワイヤレス通信装置基地局によって移動端末に転送されることを意図される前記ワイヤレス通信装置の第１の識別子と、
・前記ワイヤレス通信装置によって転送される無線信号によって、または、前記ワイヤレス通信装置へと転送される無線信号によって、生成される干渉を制御するための、パラメータと
によって形成される、情報の対を取得する手段と、
‐前記ワイヤレス通信装置によって転送されることを意図される、前記ワイヤレス通信装置の第２の識別子を取得する手段と、
‐前記第１の識別子および第２の識別子を移動端末に転送する手段と、
‐無線信号によって生成される干渉を制御するための前記パラメータに従って無線信号を転送するか、または、少なくとも１つの移動端末によって転送される無線信号によって生成される干渉を制御するための前記パラメータに関連する情報を含むメッセージを、前記少なくとも１つの移動端末に転送する手段と
を備えることを特徴とする、装置にも関する。
【００４０】
したがって、ワイヤレス通信装置は、自身の各識別子と、無線信号（基地局またはコーディネータから受信するメッセージに従って、または自身の隣接範囲のサウンディングに従って、ワイヤレス通信装置によって転送または受信されるもの）によって生成される干渉を制御するためのパラメータとを適切に設定することができる。この能力は、ＩＣＩＣの適応性およびワイヤレス通信装置グループの適応性を許容する。
【００４１】
少なくとも２つの識別子を送信するので、あるグループの移動端末（中継器またはホーム基地局または基地局に隣接する中継器またはホーム基地局または基地局によってサービングされるもの）は、単一の基地局またはワイヤレス通信装置であるかのように、グループ全体の測定値を報告することができる。
【００４２】
移動端末は、少なくとも２つの識別子について報告を作成する。少なくとも１つの識別子は、データ通信が発生し移動端末がそのセルへとハンドオーバされる可能性が高い真のセル(true cell)に対応する。少なくとも１つの他の識別子はグループ識別子であり、データ通信が発生しない偽のセル(fake cell)に対応する。
【００４３】
この場合、隣接基地局やホーム基地局や中継器にとって、グループを、単一のワイヤレス通信装置またはセルであるかのように扱うのがより容易となる。
【００４４】
特定の特徴によれば、情報の対は、ワイヤレス通信装置のアップリンクチャネルのために、またはダウンリンクチャネルのために意図される。
【００４５】
各対、したがって各グループ識別子を、アップリンクチャネルまたはダウンリンクチャネルに関連付けることが可能であるため、アップリンクチャネルとダウンリンクチャネルとで、信号によって生成される干渉を制御するための異なるパラメータを用いることができる。実際に、アップリンクチャネルとダウンリンクチャネルとでは干渉の振る舞いが異なるので、個別のＩＣＩＣが必要となる可能性がある。
【００４６】
特定の特徴によれば、
‐ワイヤレス通信装置の第１の識別子、および／または
‐ワイヤレス通信装置によって転送または受信される無線信号によって生成される干渉を制御するためのパラメータ
は、ワイヤレスセルラー通信ネットワークのコーディネータによって転送されるメッセージから取得される。
【００４７】
したがって、ＩＣＩＣはコーディネータに集中化され、コーディネータは様々な基地局および／またはワイヤレス通信装置から情報を収集することができる。コーディネータは、少なくともこの情報に基づいて、各ワイヤレス通信装置が転送または受信する無線信号によって生成される干渉を制御するための適切なパラメータを導出し、そのワイヤレス通信装置に通知する。
【００４８】
特定の特徴によれば、
‐ワイヤレス通信装置の識別子、および／または
‐ワイヤレス通信装置によって転送または受信される無線信号によって生成される干渉を制御するためのパラメータ
は、ワイヤレスセルラー通信ネットワークの基地局によって転送されるメッセージから取得される。
【００４９】
したがって、基地局は、自身のカバレッジエリア下で、ワイヤレス通信装置によって転送される無線信号によって、または、ワイヤレス通信装置へと転送される無線信号によって、生成される干渉を制御（コーディネート）することができる。
【００５０】
特定の特徴によれば、ワイヤレス通信装置に、２つの異なる通信装置によって少なくとも２対の情報が割り当てられ、
ワイヤレス通信装置は、
‐受信した情報の対のうち少なくとも１つを選択し、
‐少なくとも１つの選択された情報の対の識別子を、移動端末に転送し、
‐受信したパラメータセット（パラメータの組）の１つに従って、または、受信した情報の対の少なくとも２つのパラメータセットから導出された１つのパラメータセットに従って、無線信号を転送するか、または、受信した１つのパラメータセットに関連する情報を含むメッセージまたは受信した情報の対の少なくとも２つのパラメータセットから導出された１つパラメータセットに関連する情報を含むメッセージを、少なくとも１つの移動端末に転送する。
【００５１】
したがって、ワイヤレス通信装置は、ワイヤレス通信装置によって転送または受信される無線信号によって生成される干渉を制御するためのパラメータがそれぞれ異なる２つのグループに属することができ、各ワイヤレス通信装置グループは、基地局やコーディネータのような通信装置によって決定される。
【００５２】
選択（たとえばより限定的なパラメータを選択すること）により、ワイヤレス通信装置は干渉が予測を超えないことを保証できる。
【００５３】
さらに別の態様によれば、本発明は、プログラマブル装置に直接ロード可能とすることができるコンピュータプログラムであって、前記コンピュータプログラムがプログラマブル装置上で実行されると本発明による方法の各ステップを実施させるための命令またはコード部を含む、コンピュータプログラムに関する。
【００５４】
コンピュータプログラムに関連する特徴および利益は、上述の本発明に係る方法および装置に関連するものと同じであるため、ここでは繰り返さない。
【００５５】
本発明の特徴は、実施例に関する以下の説明を読むことによりさらに明確となる。以下の説明は、添付の図面を参照して作成されている。
【図面の簡単な説明】
【００５６】
【図１】本発明が実施されるワイヤレスセルラー通信ネットワークを表す図である。
【図２】本発明が実施されるコーディネータのアーキテクチャを表す図である。
【図３】本発明が実施される基地局のアーキテクチャを表す図である。
【図４】本発明が実施されるワイヤレス通信装置のアーキテクチャを表す図である。
【図５】本発明の第１の実現モードに従ってコーディネータまたは基地局によって実行されるアルゴリズムの例を示す図である。
【図６】コーディネータが本発明の第１の実現モードに従ってコーディネータが図５のアルゴリズムを実行するときにワイヤレス通信装置によって実行されるアルゴリズムの例を示す図である。
【図７】本発明の第２の実現モードに従ってワイヤレス通信装置によって実行されるアルゴリズムの例を示す図である。
【図８】本発明の第１の実現モードに従って複数の基地局および／またはコーディネータが図５のアルゴリズムを実行するときにワイヤレス通信装置によって実行されるアルゴリズムの例を示す図である。
【００５７】
図１は、本発明が実施されるワイヤレスセルラー通信ネットワークを表す。
【００５８】
図１では、あるワイヤレスセルラー通信ネットワークの、２つの基地局ＢＳ１およびＢＳ２と、１１個のワイヤレス通信装置ＨＢＳ１〜ＨＢＳ１１とが示されている。
【００５９】
２つの基地局ＢＳ１およびＢＳ２と、１１個のワイヤレス通信装置ＨＢＳ１〜ＨＢＳ１１とが示されているが、本発明は異なる数（たとえばより重大な数）の基地局および／またはワイヤレス通信装置がワイヤレスセルラー通信ネットワークに存在するときに機能するということを理解できる。
【００６０】
各ワイヤレス通信装置ＨＢＳは、たとえば家（ホーム）に配置される。
【００６１】
これらのワイヤレス通信装置ＨＢＳは、たとえば、ホーム基地局であってもよく、中継器であってもよく、中継器とホーム基地局との組み合わせであってもよい。各ホーム基地局ＨＢＳは、そのホーム基地局ＨＢＳに関連付けられた移動端末がワイヤレスセルラー通信ネットワークにアクセスできるようにする。
【００６２】
各中継器は、その中継器に関連付けられた移動端末がワイヤレスセルラー通信ネットワークにアクセスできるようにしてもよい。たとえば中継器は、それらが従来の基地局やホーム基地局であるかのように、ダウンリンクチャネルを介して信号を移動端末に送信し、アップリンクチャネルを介して信号を移動端末から受信する。しかしながら、通信ネットワークへの有線接続を有する基地局やホーム基地局とは異なり、中継器は基地局またはホーム基地局とワイヤレス接続を有するのみであり、通信ネットワークへの接続はその基地局またはホーム基地局を介して行われる。
【００６３】
ワイヤレス通信装置ＨＢＳｉ（ただしｉ＝１〜１１）は、それぞれが管理するセル内に位置する移動端末によって転送される信号を受信することができる。ワイヤレス通信装置ＨＢＳｉは、それぞれが管理するセル内に位置する移動端末が受信および処理可能な信号を転送する。
【００６４】
ワイヤレス通信装置ＨＢＳ１〜ＨＢＳ５は、基地局ＢＳ１が管理するセル内に位置する。
【００６５】
ワイヤレス通信装置ＨＢＳ６〜ＨＢＳ１１は、基地局ＢＳ２が管理するセル内に位置する。
【００６６】
コーディネータ１０がワイヤレスセルラー通信ネットワークに含まれてもよい。コーディネータ１０は、ＩＣＩＣ手順を制御し、本発明に従ってワイヤレス通信装置ＨＢ１〜ＨＢ１１にグループ識別子を割り当ててもよい。
【００６７】
コーディネータ１０は、各ワイヤレス通信装置ＨＢＳと、ワイヤレスセルラー通信ネットワークの他の装置とをインタフェースしてもよい。
【００６８】
本発明によれば、ワイヤレス通信装置ＨＢＳｉ（ただしｉ＝１〜１１）は、複数のワイヤレス通信装置グループにグルーピングされる。１つのワイヤレス通信装置グループの各ワイヤレス通信装置は、同じ識別子と、同じパラメータセットとを共有する。このパラメータは、ワイヤレス通信装置によって転送される無線信号によって、または、ワイヤレス通信装置へと転送される無線信号によって、生成される干渉を制御するための、パラメータである。
【００６９】
ワイヤレス通信装置によって転送される無線信号によって、または、ワイヤレス通信装置へと転送される無線信号によって、生成される干渉を制御するための、パラメータは、ＩＣＩＣ手順に従って決定される。
【００７０】
たとえば、リソースの一部はセルの辺縁(cell-edge)の移動端末に対して予約される。この目的のために、送信パワーパターンを制御するパラメータが定義され、どの周波数帯（複数可）において送信パワーを高く、どの周波数帯（複数可）において送信パワーを低くすべきかを指定する。２つの隣接するワイヤレス通信装置グループが、または、１つの基地局と１つのワイヤレス通信装置グループ（ただし、この基地局に隣接するワイヤレス通信装置を少なくとも１つ含むもの）とが、異なる周波数帯において異なるパワー送信レベルを有するという状況を提供するために、パラメータが定義される。
【００７１】
ワイヤレス通信装置グループＧ１ＤＬは、ワイヤレス通信装置ＨＢＳ１、ＨＢＳ２およびＨＢＳ３を含む。ワイヤレス通信装置ＨＢＳ１、ＨＢＳ２およびＨＢＳ３は同じ物理セルＩＤを共有しており、いずれのワイヤレス通信装置もダウンリンクチャネルについて複数のワイヤレス通信装置グループに属さない場合には、同じ「無線信号によって生成される干渉を制御するためのパラメータ」をダウンリンク通信について適用する。
【００７２】
ワイヤレス通信装置グループＧ１ＵＬは、ワイヤレス通信装置ＨＢＳ１およびＨＢＳ２を含む。ワイヤレス通信装置ＨＢＳ１およびＨＢＳ２は同じ物理セルＩＤを共有しており、いずれのワイヤレス通信装置もアップリンクチャネルについて複数のワイヤレス通信装置グループに属さない場合には、同じ「無線信号によって生成される干渉を制御するためのパラメータ」をアップリンク通信について適用する。
【００７３】
ワイヤレス通信装置グループＧ２ＤＬは、ワイヤレス通信装置ＨＢＳ４およびＨＢＳ５を含む。ワイヤレス通信装置ＨＢＳ４およびＨＢＳ５は同じ物理セルＩＤを共有しており、いずれのワイヤレス通信装置もダウンリンクチャネルについて複数のワイヤレス通信装置グループに属さない場合には、同じ「無線信号によって生成される干渉を制御するためのパラメータ」をダウンリンク通信について適用する。
【００７４】
ワイヤレス通信装置グループＧ２ＵＬは、ワイヤレス通信装置ＨＢＳ３、ＨＢＳ４およびＨＢＳ５を含む。ワイヤレス通信装置ＨＢＳ３、ＨＢＳ４およびＨＢＳ５は同じ物理セルＩＤを共有しており、いずれのワイヤレス通信装置もアップリンクチャネルについて複数のワイヤレス通信装置グループに属さない場合には、同じ「無線信号によって生成される干渉を制御するためのパラメータ」をアップリンク通信について適用する。
【００７５】
ワイヤレス通信装置グループＧ３ＤＬは、ワイヤレス通信装置ＨＢＳ６、ＨＢＳ７およびＨＢＳ８を含む。ワイヤレス通信装置ＨＢＳ６、ＨＢＳ７およびＨＢＳ８は同じ物理セルＩＤを共有しており、いずれのワイヤレス通信装置もダウンリンクチャネルについて複数のワイヤレス通信装置グループに属さない場合には、同じ「無線信号によって生成される干渉を制御するためのパラメータ」をダウンリンク通信について適用する。
【００７６】
ワイヤレス通信装置グループＧ３ＵＬは、ワイヤレス通信装置ＨＢＳ６およびＨＢＳ７を含む。ワイヤレス通信装置ＨＢＳ６およびＨＢＳ７は同じ物理セルＩＤを共有しており、いずれのワイヤレス通信装置もアップリンクチャネルについて複数のワイヤレス通信装置グループに属さない場合には、同じ「無線信号によって生成される干渉を制御するためのパラメータ」をアップリンク通信について適用する。
【００７７】
ワイヤレス通信装置グループＧ４ＤＬは、ワイヤレス通信装置ＨＢＳ９、ＨＢＳ１０およびＨＢＳ１１を含む。ワイヤレス通信装置ＨＢＳ９、ＨＢＳ１０およびＨＢＳ１１は同じ物理セルＩＤを共有しており、いずれのワイヤレス通信装置もダウンリンクチャネルについて複数のワイヤレス通信装置グループに属さない場合には、同じ「無線信号によって生成される干渉を制御するためのパラメータ」をダウンリンク通信について適用する。
【００７８】
ワイヤレス通信装置グループＧ４ＵＬは、ワイヤレス通信装置ＨＢＳ８、ＨＢＳ９、ＨＢＳ１０およびＨＢＳ１１を含む。ワイヤレス通信装置ＨＢＳ８、ＨＢＳ９、ＨＢＳ１０およびＨＢＳ１１は同じ物理セルＩＤを共有しており、いずれのワイヤレス通信装置もアップリンクチャネルについて複数のワイヤレス通信装置グループに属さない場合には、同じ「無線信号によって生成される干渉を制御するためのパラメータ」をアップリンク通信について適用する。
【００７９】
ワイヤレス通信装置グループは、地理的にローカライズされてもよく、されなくともよい。ワイヤレス通信装置グループは空間的に分散されてもよく、各ワイヤレス通信装置グループと基地局とによって空間を覆ってもよい。
【００８０】
たとえば、ワイヤレス通信装置グループは、はじめに位置情報に従って決定されてもよく、以下に記載するように変更されてもよい。
【００８１】
図１の例では、各ワイヤレス通信装置ＨＢＳは少なくとも２つの物理セルＩＤを転送する。これらの物理セルＩＤの少なくとも１つ（すなわちグループ識別子）は、同じダウンリンクグループまたはアップリンクグループに属する他のワイヤレス通信装置によっても転送される。少なくとも１つの物理セルＩＤは、そのワイヤレス通信装置グループの各ワイヤレス通信装置によっては転送されない。好ましくは、そのワイヤレス通信装置グループにおける他のいずれのワイヤレス通信装置によっても転送されない。
【００８２】
基地局ＢＳｊ（ただしｊ＝１〜２）およびコーディネータ１０は、図１に示されない通信ネットワークによって互いにリンクされる。
【００８３】
ワイヤレス通信装置ＨＢＳｉ（ただしｉ＝１〜１１）は、これらのワイヤレス通信装置がホーム基地局である場合には、通信ネットワークによってリンクされてもよい。
【００８４】
通信ネットワークは、たとえば、ＰＳＴＮネットワーク（公衆交換電話網）(Public Switch Telecommunication Network)であってもよく、ＩＳＤＮ（統合サービスデジタル通信網）(Integrated Services Digital Network)ネットワークのようなパケット交換ネットワークであってもよい。
【００８５】
本発明によれば、各基地局ＢＳまたはコーディネータ１０は、
‐少なくとも１つのワイヤレス通信装置グループを形成し、
‐そのワイヤレス通信装置グループの各ワイヤレス通信装置に、識別子を少なくとも１つ割り当て、
・前記少なくとも１つの識別子はグループ識別子であり、そのワイヤレス通信装置グループの各ワイヤレス通信装置に割り当てられ、
・前記グループ識別子は、そのワイヤレス通信装置グループの各ワイヤレス通信装置によって少なくとも１つの他の識別子と並列に移動端末に転送されることを意図され、
・前記少なくとも１つの他の識別子は、ワイヤレス通信装置グループの各ワイヤレス通信装置によって共有されず、
‐ワイヤレス通信装置グループの、各ワイヤレス通信装置によって転送される無線信号によって、または、各ワイヤレス通信装置へと転送される無線信号によって、生成される干渉を制御するための、同じパラメータを割り当てる。
【００８６】
本発明によれば、少なくとも１つのワイヤレス通信装置は、
‐情報の対を取得し、
・前記情報の対は、前記ワイヤレス通信装置の第１の識別子と、パラメータとによって形成され、
・前記第１の識別子は、前記ワイヤレス通信装置から移動端末に転送されることを意図され、
・前記パラメータは、前記ワイヤレス通信装置によって転送される無線信号によって、または、前記ワイヤレス通信装置へと転送される無線信号によって、生成される干渉を制御するための、パラメータであり、
‐前記ワイヤレス通信装置の第２の識別子を取得し、前記第２の識別子はワイヤレス通信装置によって転送されることを意図され、
‐前記第１および第２の識別子を移動端末に転送し、
‐無線信号によって生成される干渉を制御するためのパラメータに従って無線信号を転送し、または、少なくとも１つの移動端末にメッセージを転送し、
・前記メッセージは、少なくとも１つの移動端末によって転送される無線信号によって生成される干渉を制御するためのパラメータに関連する情報を含む。
【００８７】
図２は、本発明が実施されるコーディネータ１０のアーキテクチャを表す図である。
【００８８】
コーディネータ１０は、たとえば、バス２０１によって互いに接続されるコンポーネントと、図５に開示されるプログラムによって制御されるプロセッサ２００とに基づくアーキテクチャを有する。
【００８９】
コーディネータのアーキテクチャは、プロセッサに基づく代わりに、専用の集積回路に基づいてもよいということに留意すべきである。
【００９０】
バス２０１は、プロセッサ２００を、読み出し専用メモリＲＯＭ２０２、ランダムアクセスメモリＲＡＭ２０３およびネットワークインタフェース２０６にリンクする。
【００９１】
メモリ２０３は、変数を収容することを意図するレジスタと、図５に開示されるアルゴリズムに関連するプログラムの命令とを含む。
【００９２】
プロセッサ２００は、ネットワークインタフェース２０６の動作を制御する。
【００９３】
読み出し専用メモリ２０２は、図５に開示されるアルゴリズムに関連するプログラムの命令を含む。これらの命令は、コーディネータ１０の電源が投入されると、ランダムアクセスメモリ２０３に転送される。
【００９４】
コーディネータ１０は、ネットワークインタフェース２０６を介して通信ネットワークに接続される。たとえば、ネットワークインタフェース２０６は、ＤＳＬ（デジタル加入者線）モデムまたはＩＳＤＮ（統合サービスデジタル通信網）インタフェース等である。
【００９５】
コーディネータ１０は、ネットワークインタフェース２０６を介して、メッセージを、ワイヤレスセルラー通信ネットワークのワイヤレス通信装置または基地局ＢＳや、ワイヤレスセルラー通信ネットワークのコア装置(core device)（図１には示さず）に転送することができる。
【００９６】
図３は、本発明が実施される基地局のアーキテクチャを表す図である。
【００９７】
基地局ＢＳは、たとえば、バス３０１によって互いに接続されるコンポーネントと、図５に開示されるプログラムによって制御されるプロセッサ３００とに基づくアーキテクチャを有する。
【００９８】
基地局ＢＳのアーキテクチャは、プロセッサに基づく代わりに、専用の集積回路に基づいてもよいということに留意すべきである。
【００９９】
バス３０１は、プロセッサ３００を、読み出し専用メモリＲＯＭ３０２、ランダムアクセスメモリＲＡＭ３０３、ワイヤレスインタフェース３０５およびネットワークインタフェース３０６にリンクする。
【０１００】
メモリ３０３は、変数を収容することを意図するレジスタと、図５に開示されるアルゴリズムに関連するプログラムの命令とを含む。
【０１０１】
プロセッサ３００は、ネットワークインタフェース３０６およびワイヤレスインタフェース３０５の動作を制御する。
【０１０２】
読み出し専用メモリ３０２は、図５に開示されるアルゴリズムに関連するプログラムの命令を含む。これらの命令は、基地局ＢＳの電源が投入されると、ランダムアクセスメモリ３０３に転送される。
【０１０３】
基地局ＢＳは、ネットワークインタフェース３０６を介して通信ネットワークに接続されてもよい。たとえば、ネットワークインタフェース３０６は、ＤＳＬ（デジタル加入者線）モデムまたはＩＳＤＮ（統合サービスデジタル通信網）インタフェース等である。
【０１０４】
基地局ＢＳは、ネットワークインタフェース３０６を介して、メッセージを、ワイヤレスセルラー通信ネットワークの、他の基地局ＢＳや、ワイヤレス通信装置ＨＢＳや、コーディネータ１０や、コア装置に転送することができる。
【０１０５】
ワイヤレスインタフェース３０５およびネットワークインタフェース３０６は基地局ＢＳのリソースである。これらのリソースは、移動端末が遠隔通信装置との通信を確立または受信するときに、ワイヤレスセルラー通信ネットワークにアクセスするために移動端末が使用してもよい。
【０１０６】
ワイヤレスインタフェース３０５は、ダウンリンク送信モジュールおよびアップリンク受信モジュールを備える。
【０１０７】
図４は、本発明が実施されるワイヤレス通信装置のアーキテクチャを表す図である。
【０１０８】
ワイヤレス通信装置ＨＢＳは、たとえば、バス４０１によって互いに接続されるコンポーネントと、図６、７または８に開示されるプログラムによって制御されるプロセッサ４００とに基づくアーキテクチャを有する。
【０１０９】
ワイヤレス通信装置ＨＢＳのアーキテクチャは、プロセッサに基づく代わりに、専用の集積回路に基づいてもよいということに留意すべきである。
【０１１０】
バス４０１は、プロセッサ４００を、読み出し専用メモリＲＯＭ４０２、ランダムアクセスメモリＲＡＭ４０３、ワイヤレスインタフェース４０５およびネットワークインタフェース４０６にリンクする。
【０１１１】
メモリ４０３は、変数を収容することを意図するレジスタと、図６、７または８に開示されるアルゴリズムに関連するプログラムの命令とを含む。
【０１１２】
プロセッサ４００は、ネットワークインタフェース４０６およびワイヤレスインタフェース４０５の動作を制御する。
【０１１３】
読み出し専用メモリ４０２は、図６、７または８に開示されるアルゴリズムに関連するプログラムの命令を含む。これらの命令は、ワイヤレス通信装置ＨＢＳの電源が投入されると、ランダムアクセスメモリ４０３に転送される。
【０１１４】
ワイヤレス通信装置ＨＢＳがホーム基地局である場合には、ワイヤレス通信装置ＨＢＳはネットワークインタフェース４０６を介して通信ネットワークに接続されてもよい。たとえば、ネットワークインタフェース４０６は、ＤＳＬ（デジタル加入者線）モデムまたはＩＳＤＮ（統合サービスデジタル通信網）インタフェース等である。
【０１１５】
ホーム基地局ＨＢＳは、ネットワークインタフェース４０６を介して、メッセージを、他の基地局ＢＳやホーム基地局ＨＢＳやコーディネータ１０に転送することができる。
【０１１６】
ワイヤレスインタフェース４０５およびネットワークインタフェース４０６は、ホーム基地局ＨＢＳのリソースである。これらのリソースは、移動端末が遠隔通信装置との通信を確立または受信するときに、ワイヤレスセルラー通信ネットワークにアクセスするために移動端末が使用してもよい。
【０１１７】
ワイヤレス通信装置ＨＢＳがホーム基地局である場合、ワイヤレスインタフェース４０５はダウンリンク送信モジュールおよびアップリンク受信モジュールを備える。
【０１１８】
ワイヤレス通信装置ＨＢＳが中継器である場合、ワイヤレスインタフェース４０５は、中継器と基地局ＢＳとの間で信号を転送するための、ダウンリンク受信モジュールおよびアップリンク送信モジュールを備える。ワイヤレスインタフェース４０５は、さらに、中継器と移動端末との間で信号を転送するための、ダウンリンク送信モジュールおよびアップリンク受信モジュールを備える。
【０１１９】
図５は、本発明の第１の実現モードに従ってコーディネータまたは基地局によって実行されるアルゴリズムの例を示す。
【０１２０】
より正確には、本アルゴリズムは、コーディネータ１０のプロセッサ２００または各基地局ＢＳ１またはＢＳ２のプロセッサ３００によって実行される。
【０１２１】
本アルゴリズムは、コーディネータ１０のプロセッサ２００によって実行されるときに開示される。
【０１２２】
ステップＳ５００において、プロセッサ２００はワイヤレス通信装置ＨＢＳのグループを形成する。このワイヤレス通信装置グループは、各ワイヤレス通信装置ＨＢＳの位置情報を用いて形成されてもよい。
【０１２３】
ステップＳ５０１において、プロセッサ２００は、ネットワークインタフェース２０６を介して、移動端末によって、および／または基地局ＢＳ１もしくはＢＳ２によって、および／またはワイヤレス通信装置によって測定される、干渉に関連する情報の受信を検出する。
【０１２４】
干渉に関連する情報は、たとえば、隣接する基地局（または少なくとも１つのワイヤレス通信装置グループ）によって、または、隣接する基地局（または少なくとも１つのワイヤレス通信装置グループ）へと、転送される信号のパワー強度である。それぞれの情報は、物理セルＩＤによって識別され、移動端末および／または基地局ＢＳおよび／またはワイヤレス通信装置ＨＢＳによって受信される。
【０１２５】
各移動端末は、現時点で自身にサービングしている基地局に、干渉に関連する情報を含むメッセージを転送する。
【０１２６】
このメッセージは、サービングしている基地局ＢＳが本アルゴリズムを実行するときに、その基地局ＢＳによって、そのようなものとして用いられる。または、サービングしている基地局ＢＳによってコーディネータ１０に転送される。または、サービングしている基地局ＢＳによって処理され、処理の結果がコーディネータ１０に転送される。
【０１２７】
次のステップＳ５０２において、プロセッサ２００は、ステップＳ５００で特定されたワイヤレス通信装置グループについて、ＩＣＩＣパラメータセット（ＩＣＩＣパラメータの組）を決定する。
【０１２８】
たとえば、ＩＣＩＣ手順は、リソースの一部をセルの辺縁(cell-edge)の移動端末に対して予約する。
【０１２９】
この目的のために、パワーパターンが各基地局ＢＳまたはワイヤレス通信装置ＨＢＳの各グループについて定義される。基地局ＢＳやワイヤレス通信装置グループのワイヤレス通信装置ＨＢＳへのアップリンク送信のために各移動端末が用いる最大送信パワー、および／または、所与の周波数リソースにおけるダウンリンク送信のために基地局やワイヤレス通信装置グループのワイヤレス通信装置ＨＢＳが用いる最大送信パワーは、変動する。
【０１３０】
このパターンは、基地局ＢＳごとに、また、ワイヤレス通信装置ＨＢＳのグループごとに異なる。たとえば、隣接する２つの基地局ＢＳおよび／またはワイヤレス通信装置ＨＢＳのグループは、互いに異なるパターンを有する。
【０１３１】
次に、移動端末が被るまたは発生させる干渉のレベルに依存して、ＩＣＩＣパラメータが最適化される。
【０１３２】
一変形例では、プロセッサ２００は、プロセッサ２００がその存在に気づいているワイヤレス通信装置ＨＢＳのそれぞれについて、または、ワイヤレス通信装置グループに含まれるワイヤレス通信装置ＨＢＳのそれぞれについて、ＩＣＩＣパラメータセットを決定する。また、プロセッサ２００は、決定されたＩＣＩＣパラメータセットに従ってワイヤレス通信装置グループを修正してもよい。
【０１３３】
次のステップＳ５０３において、プロセッサ２００は共通の物理セルＩＤを１つ決定する。この共通の物理セルＩＤはグループ識別子と呼ばれ、そのワイヤレス通信装置グループのワイヤレス通信装置によって共通して転送される。
【０１３４】
本発明の特定の特徴によれば、１つの物理セルＩＤが１つのＩＣＩＣパラメータセットに対応する。
【０１３５】
５０４個の物理セルＩＤのうち一部（たとえばこれらのうち２０個）がホーム基地局のグループのために予約される。また、これらのそれぞれは、アップリンクチャネルに対する１つのＩＣＩＣパラメータセットまたはダウンリンクチャネルに対する１つのＩＣＩＣパラメータセットに対応する。
【０１３６】
次のステップＳ５０４において、プロセッサ２００は、ワイヤレス通信装置グループの各ワイヤレス通信装置ＨＢＳについて、別の物理セルＩＤを１つ決定してもよい。一変形例では、この別の物理セルＩＤは、ワイヤレスセルラー通信ネットワークのコアネットワーク装置によって、または各ワイヤレス通信装置ＨＢＳによって決定される。
【０１３７】
ワイヤレスセルラー通信装置に割り当てられる、これら別の物理セルＩＤのそれぞれは、ワイヤレス通信装置グループの各ワイヤレス通信装置によって共有されない。
【０１３８】
次のステップＳ５０５において、プロセッサ２００は、ステップＳ５０２において決定されたＩＣＩＣパラメータセット（ワイヤレス通信装置グループについて決定されたグループ識別子に対応するもの）を割り当てる。
【０１３９】
次のステップＳ５０６において、プロセッサ２００は、ステップＳ５０２において決定されたＩＣＩＣパラメータセット（１つまたは複数）が、ワイヤレス通信装置グループについて決定された直前のＩＣＩＣパラメータセットと異なっているか否かを検査する。
【０１４０】
ステップＳ５０２において決定されたＩＣＩＣパラメータセット（１つまたは複数）が、直前のＩＣＩＣパラメータセットと異なっている場合には、プロセッサ２００はステップＳ５０７に移行する。そうでなければ、プロセッサ２００は本アルゴリズムを中断する。
【０１４１】
ステップＳ５０７において、プロセッサ２００は、ワイヤレス通信装置グループに属するワイヤレス通信装置の少なくとも１つに通知する。
【０１４２】
プロセッサ２００は、ステップＳ５０４において決定された物理セルＩＤを、各ワイヤレス通信装置に転送してもよい。
【０１４３】
プロセッサ２００は、ステップＳ５０３において決定されたグループ識別子を含むメッセージを、ワイヤレス通信装置グループの各ワイヤレス通信装置に転送することを指令してもよい。および／または、プロセッサ２００は、ステップＳ５０５において割り当てられたＩＣＩＣパラメータセットを含むメッセージを、ワイヤレス通信装置グループの各ワイヤレス通信装置に転送することを指令してもよい。
【０１４４】
プロセッサ２００は、ステップＳ５０３において決定されたグループ識別子を含むメッセージを、ワイヤレス通信装置グループのワイヤレス通信装置ＨＢＳのうち１つ以上に転送することを指令してもよい。この「ワイヤレス通信装置ＨＢＳのうち１つ以上」は、同じグループ識別子を共有する別のワイヤレス通信装置グループに切り替えられる。および／または、プロセッサ２００は、ステップＳ５０４において割り当てられたＩＣＩＣパラメータセットを含むメッセージを、ワイヤレス通信装置グループのワイヤレス通信装置ＨＢＳのうち１つ以上に転送することを指令してもよく、このワイヤレス通信装置ＨＢＳは、同じＩＣＩＣパラメータセットを共有する別のワイヤレス通信装置グループに切り替えられる。
【０１４５】
プロセッサ２００は、ステップＳ５０３において決定されたグループ識別子を含むメッセージ（このメッセージは、さらに、ステップＳ５０４においてワイヤレス通信装置グループのワイヤレス通信装置ＨＢＳのうち１つ以上に割り当てられたＩＣＩＣパラメータセットを含む）を、ワイヤレス通信装置グループのワイヤレス通信装置のうち１つ以上に転送することを指令してもよい。
【０１４６】
このようにすると、プロセッサ２００は、ワイヤレス通信装置ＨＢＳの干渉レベルを改善するために、各ワイヤレス通信装置グループのうち、当該ワイヤレス通信装置グループを修正する。
【０１４７】
その後、プロセッサ２００は本アルゴリズムを中断する。
【０１４８】
図６は、コーディネータが本発明の第１の実現モードに従って図５のアルゴリズムを実行するときに、ワイヤレス通信装置によって実行されるアルゴリズムの例を示す。
【０１４９】
より正確には、本アルゴリズムは、各ワイヤレス通信装置ＨＢＳのプロセッサ４００によって実行される。
【０１５０】
本発明によれば、各ワイヤレス通信装置ＨＢＳは、移動端末に、少なくとも第１の識別子および第２の識別子を転送する。第１の識別子は、グループ識別子と呼ばれ、ワイヤレス通信装置グループの各ワイヤレス通信装置ＨＢＳによって転送される。第２の識別子は、ワイヤレス通信装置グループの各ワイヤレス通信装置ＨＢＳによって転送されない。
【０１５１】
ステップＳ６００において、プロセッサ２００は、コーディネータ１０またはワイヤレスセルラー通信ネットワークのコアネットワーク装置によって割り当てられている第２の識別子を取得する。
【０１５２】
ステップＳ６０１において、プロセッサ４００は、コーディネータ１０から新たなグループ識別子を含むメッセージが受信されたか否かを検査する。
【０１５３】
新たなグループ識別子を含むメッセージが受信されている場合、プロセッサ４００はステップＳ６０２に移行する。そうでなければ、プロセッサ４００はステップＳ６０３に移行する。
【０１５４】
ステップＳ６０２において、プロセッサ４００は、当該ワイヤレス通信装置によって用いられるべき情報の対(couple of information)を更新する。
【０１５５】
この情報の対は、ワイヤレスインタフェース４０５を介して移動端末に転送されるグループ識別子と、ダウンリンクチャネル上の信号の転送に用いられるべきＩＣＩＣパラメータセットとを含む。
【０１５６】
特定の特徴によれば、プロセッサ４００は、新たなＩＣＩＣパラメータセットを取得するために、この新たなグループ識別子を、メモリ４０３に記憶されたルックアップテーブルにおけるキーとして用いる。
【０１５７】
次のステップＳ６０３において、プロセッサ４００は、新たなＩＣＩＣパラメータセットを含むメッセージがコーディネータ１０から受信されたか否か、または、ステップＳ６０１で処理されたメッセージがさらに新たなＩＣＩＣパラメータセットを含むか否かを検査する。
【０１５８】
新たなＩＣＩＣパラメータセットを含むメッセージがコーディネータ１０から受信されているか、または、ステップＳ６０１で処理されたメッセージがさらに新たなＩＣＩＣパラメータセットを含んでいる場合、プロセッサ４００はステップＳ６０４に移行する。そうでなければ、プロセッサ４００はステップＳ６０５に移行する。
【０１５９】
ステップＳ６０４において、プロセッサ４００は、ワイヤレス通信装置ＨＢＳによって用いられるべき情報の対を更新する。
【０１６０】
この情報の対は、ダウンリンクチャネル上またはアップリンクチャネル上の信号の転送に用いられるべきＩＣＩＣパラメータセットと、ワイヤレスインタフェース４０５を介して移動端末に転送されるグループ識別子とを含む。
【０１６１】
特定の特徴によれば、プロセッサ４００は、新たなグループ識別子を取得するために、または受信されたメッセージからグループ識別子を取得するために、この新たなＩＣＩＣパラメータセットを、メモリ４０３に記憶されたルックアップテーブルにおけるキーとして用いる。
【０１６２】
次のステップＳ６０５において、プロセッサ４００は、ワイヤレスインタフェース４０５を介してグループ識別子および第２の物理セルＩＤを転送することを指令する。
【０１６３】
グループ識別子および第２の物理セルＩＤは、並列に転送される。
【０１６４】
第２の物理セルＩＤは、関連付けられるパイロットシンボルおよびデータとともに転送される。たとえば、パイロットの構造およびデータのスクランブルが、第２の物理セルＩＤにリンクされる。
【０１６５】
グループ識別子は、関連付けられるパイロットシンボルとともに転送されてもよい。たとえば、パイロットの構造はグループ識別子にリンクされる。グループ識別子は、関連付けられるデータとともには転送されない（ただし、必要な場合には、セルグローバルＩＤのような何らかのシステム情報についてはこの限りではない）。これは、このグループ識別子が表すセルが、真のセル(true cell)（すなわち、移動端末がそのセルへとハンドオーバされる可能性があり、かつ、移動端末がそのセルを介してワイヤレスセルラー通信ネットワークにアクセスできるもの）ではないということを意味する。しかしながら、上記の識別子、パイロット、およびデータのすべてまたは一部は、重畳された態様で（すなわち、同時にかつ同じ周波数リソース上で）転送可能である。
【０１６６】
グループ識別子の送信パワーは、第２の物理セルＩＤの送信パワーより低いものであってもよいということに留意すべきである。
【０１６７】
複数のワイヤレス通信装置がグループ識別子を転送するので、移動端末における受信パワーは増大する。
【０１６８】
次のステップＳ６０６において、プロセッサ４００は、ワイヤレスインタフェース４０５に、ダウンリンクチャネル上での信号の転送のためのＩＣＩＣパラメータセットを適用するために指令を出す。または、プロセッサ４００は、信号の転送のために、ワイヤレス通信装置ＨＢＳによってサービングされている移動端末が用いるべきＩＣＩＣパラメータセットに関連する情報を転送することを指令する。
【０１６９】
その後、プロセッサ４００は本アルゴリズムを中断する。
図７は、本発明の第２の実現モードに従ってワイヤレス通信装置によって実行されるアルゴリズムの例を示す。
【０１７０】
本発明の第２の実現モードによれば、ワイヤレス通信装置グループへのワイヤレス通信装置ＨＢＳの属否の判断は、分散した態様で（すなわち各ワイヤレス通信装置ＨＢＳによって）実行される。
【０１７１】
より正確には、本アルゴリズムは、各ワイヤレス通信装置ＨＢＳのプロセッサ４００によって実行される。
【０１７２】
ステップＳ７００において、プロセッサ４００は、隣接するワイヤレス通信装置ＨＢＳおよび／または隣接する基地局ＢＳから受信される信号をスキャンするために、ワイヤレスインタフェース４０５に指令を出す。
【０１７３】
このステップにおいて、ワイヤレスインタフェース４０５は、隣接するワイヤレス通信装置ＨＢＳおよび／または基地局ＢＳによって転送されるすべての物理セルＩＤを検出する。
【０１７４】
次のステップＳ７０１において、プロセッサ４００は、ワイヤレス通信装置ＨＢＳについて、グループ識別子と呼ばれる物理セルＩＤを１つ選択する。
【０１７５】
特定の特徴によれば、ワイヤレス通信装置グループに割り当てることが可能な物理セルＩＤのそれぞれが、ＲＡＭメモリ４０３に記憶されている。
【０１７６】
プロセッサ４００は、ワイヤレスインタフェース４０５が検出した物理セルＩＤに従って、物理セルＩＤを１つ選択する。一変形例によれば、プロセッサ４００は、ワイヤレス通信装置グループに割り当て可能な各物理セルＩＤのうち、隣接者と同じ物理セルＩＤを選択する。
【０１７７】
別の変形例によれば、プロセッサ４００は、ワイヤレス通信装置グループに割り当て可能な各物理セルＩＤのうち、検出されていない物理セルＩＤ（１つまたは複数）を選択する。これは、隣接するワイヤレス通信装置ＨＢＳと異なるパターンを用い、これによって、ワイヤレス通信装置ＨＢＳ−ワイヤレス通信装置ＨＢＳ間の干渉を低減するためである。
【０１７８】
たとえば、ワイヤレス通信装置グループに割り当て可能な各物理セルＩＤのうちからは物理セルＩＤが１つも検出されなかった場合、プロセッサ４００は、ワイヤレス通信装置グループに割り当て可能な各物理セルＩＤのうちからランダムに１つの物理セルＩＤを選択する。
【０１７９】
次のステップＳ７０２において、必要があれば、プロセッサ４００は、ダウンリンクチャネル上またはアップリンクチャネル上で信号を転送するために用いるべきＩＣＩＣパラメータセットを更新する。
【０１８０】
プロセッサ４００は、ＩＣＩＣパラメータセットを取得するために、物理セルＩＤを、メモリ４０３に記憶されたルックアップテーブルにおけるキーとして用いる。
【０１８１】
次のステップＳ７０３において、プロセッサ４００は、ワイヤレスセルラー通信装置ＨＢＳによって移動端末に転送されるべき第２の物理セルＩＤを取得する。第２の物理セルＩＤは、たとえば、コーディネータ１０から、または１つの基地局ＨＢＳから、またはワイヤレスセルラー通信ネットワークのコアネットワーク装置から、受信される。または、第２の物理セルＩＤは、ワイヤレスセルラー通信装置ＨＢＳによって選択される。そして、第２の物理セルＩＤは、ＲＡＭメモリ４０３に記憶される。
【０１８２】
この第２の物理セルＩＤは、同じグループ識別子を共有するワイヤレス通信の少なくとも１つに割り当てられた第２の物理セルＩＤとは異なる。
【０１８３】
第２の物理セルＩＤは、同じグループ識別子を共有する他の各ワイヤレス通信に割り当てられた第２の物理セルＩＤと異なってもよい。
【０１８４】
次のステップＳ７０４において、プロセッサ４００は、ワイヤレスインタフェース４０５を介して、グループ識別子を転送することと、第２の物理セルＩＤを転送することとを指令する。
【０１８５】
グループ識別子および第２の物理セルＩＤは、並列に転送される。
【０１８６】
第２の物理セルＩＤは、関連付けられるパイロットシンボルおよびデータとともに転送される。たとえば、パイロットの構造およびデータのスクランブルが、この物理セルＩＤにリンクされる。
【０１８７】
グループ識別子は、関連付けられるパイロットとともに転送されてもよい。たとえば、パイロットシンボルの構造がグループ識別子にリンクされる。グループ識別子は、関連付けられるデータとともには転送されない（ただし、必要な場合には、セルグローバルＩＤのような何らかのシステム情報についてはこの限りではない）。これは、このグループ識別子が表すセルが、真のセル（すなわち、移動端末がそのセルへとハンドオーバされる可能性があり、かつ、移動端末がそのセルを介してワイヤレスセルラー通信ネットワークにアクセスできるもの）ではないということを意味する。しかしながら、上記の識別子、パイロット、およびデータのすべてまたは一部は、重畳された態様で（すなわち、同時にかつ同じ周波数リソース上で）転送可能である。
【０１８８】
このステップにおいて、プロセッサ４００は、ダウンリンクチャネル上で信号を転送するためのＩＣＩＣパラメータセットを適用するために、ワイヤレスインタフェース４０５に指令を出す。または、プロセッサ４００は、信号を転送するために移動端末ＨＢＳが用いるべきＩＣＩＣパラメータセットに関連する情報の転送を指令する。
【０１８９】
その後、プロセッサ４００は本アルゴリズムを中断する。
【０１９０】
図８は、本発明の第１の実現モードに従って複数の基地局および／またはコーディネータが図５のアルゴリズムを実行するときにワイヤレス通信装置によって実行されるアルゴリズムの例を示す。
【０１９１】
各基地局が図５のアルゴリズムを実行するとき、または１つのコーディネータ１０と１つの基地局ＢＳとが図５のアルゴリズムを実行するとき、または２つのコーディネータ１０が図５のアルゴリズムを実行するとき、場合によっては、同じダウンリンクチャネルまたはアップリンクチャネルについて１つのワイヤレス通信装置に２つのグループ識別子が割り当てられることがある。
【０１９２】
グループ識別子とＩＣＩＣパラメータセットとの間には強い関連があるため、２つの異なる通信装置（基地局ＢＳやコーディネータ１０等）が、１つのワイヤレス通信装置ＨＢＳに、異なる２つのＩＣＩＣパラメータセットを用いることを要求する可能性がある。
【０１９３】
より正確には、本アルゴリズムは各ホーム基地局ＨＢＳのプロセッサ４００によって実行される。
【０１９４】
本発明によれば、各ワイヤレス通信装置ＨＢＳは、移動端末に、少なくとも第１の識別子および第２の識別子を転送する。第１の識別子は、グループ識別子と呼ばれ、ワイヤレス通信装置グループの各ワイヤレス通信装置ＨＢＳによって転送される。第２の識別子は、ワイヤレス通信装置グループの各ワイヤレス通信装置ＨＢＳによって転送されない。
【０１９５】
ステップＳ８００において、プロセッサ２００は、コーディネータ１０によって、基地局ＢＳによって、ワイヤレスセルラー通信ネットワークのコアネットワーク装置によって、またはワイヤレス通信装置ＨＢＳによって、割り当てられている第２の識別子を取得する。
【０１９６】
ステップＳ８０１において、プロセッサ４００は、コーディネータ１０から新たなグループ識別子を含むメッセージが受信されているか否かを検査する。
【０１９７】
新たなグループ識別子を含むメッセージが受信されている場合、プロセッサ４００はステップＳ８０２に移行する。そうでなければ、プロセッサ４００はステップＳ８０６に移行する。
【０１９８】
ステップＳ８０２において、プロセッサ４００は、ワイヤレス通信装置が用いるべき情報の対を更新する。
【０１９９】
この情報の対は、ワイヤレスインタフェース４０５を介して移動端末に転送されるグループ識別子と、ダウンリンクチャネル上またはアップリンクチャネル上で信号を転送するために用いられるべきＩＣＩＣパラメータセットとを含む。
【０２００】
特定の特徴によれば、プロセッサ４００は、新たなＩＣＩＣパラメータセットを取得するために、この新たなグループ識別子を、メモリ４０３に記憶されたルックアップテーブルにおけるキーとして用いる。
【０２０１】
次のステップＳ８０３において、プロセッサ４００は、少なくとも２つの通信装置（基地局ＢＳやコーディネータ１０等）が、同じダウンリンクチャネルまたはアップリンクチャネルに対応するグループ識別子を含むメッセージを転送したか否かを検査する。
【０２０２】
少なくとも２つの通信装置が、同じダウンリンクチャネルまたはアップリンクチャネルに対応するグループ識別子を含むメッセージを転送していた場合、プロセッサ４００はステップＳ８０４に移行する。そうでなければ、プロセッサ４００はステップＳ８０６に移行する。
【０２０３】
次のステップＳ８０４において、プロセッサ４００は、それらの異なる通信装置によって転送された各グループ識別子に対応する各ＩＣＩＣパラメータセット（これらは同じダウンリンクチャネルまたはアップリンクチャネルに対応する）を取得する。
【０２０４】
プロセッサ４００は、これらのＩＣＩＣパラメータセットを取得するために、そのグループ識別子を、メモリ４０３に記憶されたルックアップテーブルにおけるキーとして用いてもよい。
【０２０５】
プロセッサ４００は、これら少なくとも２つのＩＣＩＣパラメータセットから期待されるすべての制約を保証するＩＣＩＣパラメータセットを１つ選択する。
【０２０６】
たとえば、プロセッサ４００は、これら少なくとも２つのＩＣＩＣパラメータセットのうち、最小の送信パワーに対応するものを１つ選択する。プロセッサ４００は、これらのＩＣＩＣパラメータセットにおける各周波数帯に対して示される少なくとも２つの送信パワーのうち最も低いものを、各周波数帯について選択してもよい。
【０２０７】
その後、プロセッサ４００はステップＳ８０６に移行する。
【０２０８】
メモリ４０３にルックアップテーブルがない場合、プロセッサ４００はステップＳ８０３からステップＳ８０６に移行する。
【０２０９】
次のステップＳ８０６において、プロセッサ４００は、コーディネータ１０から新たなＩＣＩＣパラメータセットを含むメッセージが受信されたか否かを、または、ステップＳ８０１において処理されたメッセージがさらに新たなＩＣＩＣパラメータセットを含むか否かを検査する。
【０２１０】
コーディネータ１０から新たなＩＣＩＣパラメータセットを含むメッセージが受信されているか、または、ステップＳ８０１において処理されたメッセージがさらに新たなＩＣＩＣパラメータセットを含む場合には、プロセッサ４００はステップＳ８０７に移行する。そうでなければ、プロセッサ４００はステップＳ８１０に移行する。
【０２１１】
次のステップＳ８０７において、プロセッサ４００は、少なくとも２つの通信装置がＩＣＩＣパラメータセットを含むメッセージを転送したか否かを、または、ある通信装置が、同じダウンリンクチャネルまたはアップリンクチャネルについて別の通信装置によって転送されたグループ識別子とは対応しないＩＣＩＣパラメータセットを転送したか否かを、検査する。
【０２１２】
少なくとも２つの通信装置がＩＣＩＣパラメータセットを含むメッセージを転送していたか、または、ある通信装置が、同じダウンリンクチャネルまたはアップリンクチャネルについて別の通信装置によって転送されたグループ識別子とは対応しないＩＣＩＣパラメータセットを転送していた場合、プロセッサ４００はステップＳ８０８に移行する。そうでなければ、プロセッサ４００はステップＳ８０９に移行する。
【０２１３】
次のステップＳ８０８において、プロセッサ４００は、同じダウンリンクチャネルまたはアップリンクチャネルに対応するそれら少なくとも２つのＩＣＩＣパラメータセットを取得する。
【０２１４】
プロセッサ４００は、これら少なくとも２つのＩＣＩＣパラメータセットから期待されるすべての制約を保証するＩＣＩＣパラメータセットを１つ選択する。たとえば、プロセッサ４００は、これら少なくとも２つのＩＣＩＣパラメータセットのうち、最小の送信パワーに対応するものを１つ選択する。プロセッサ４００は、これらのＩＣＩＣパラメータセットにおける各周波数帯に対して示される少なくとも２つの送信パワーのうち最も低いものを、各周波数帯について選択してもよい。
【０２１５】
その後、プロセッサ４００はステップＳ８１０に移行する。
【０２１６】
ステップＳ８０９において、プロセッサ４００は、ワイヤレス通信装置が用いるべき情報の各対を更新する。
【０２１７】
２つの通信装置（基地局ＢＳやコーディネータ１０等）が、同じダウンリンクチャネルまたはアップリンクチャネルに対応するグループ識別子を含むメッセージを転送していた場合、プロセッサ４００は、受信したグループ識別子の１つと、ステップＳ８０４またはＳ８０８において決定されたＩＣＩＣパラメータセットとを含む第１の情報の対を記憶し、かつ、受信した別のグループ識別子と、ステップＳ８０４またはＳ８０８において決定されたＩＣＩＣパラメータセットとを含む第２の情報の対を記憶する。
【０２１８】
次のステップＳ８１０において、プロセッサ４００は、ワイヤレスインタフェース４０５を介して、少なくとも１つのグループ識別子と、第２の物理セルＩＤとを転送することを指令する。
【０２１９】
各グループ識別子（１つまたは複数）は、関連付けられるパイロットシンボルとともに転送されてもよい。各グループ識別子（１つまたは複数）は、関連付けられるデータとともには転送されない。これは、このグループ識別子が表すセルが、真のセル（すなわち、移動端末がそのセルへとハンドオーバされる可能性があり、かつ、移動端末がそのセルを介してワイヤレスセルラー通信ネットワークにアクセスできるもの）ではないということを意味する。しかしながら、上記の識別子、パイロット、およびデータのすべてまたは一部は、重畳された態様で（すなわち、同時にかつ同じ周波数リソース上で）転送可能である。
【０２２０】
グループ識別子（１つまたは複数）の送信パワーは、第２の物理セルＩＤの送信パワーより低いものであってもよいということに留意すべきである。
【０２２１】
複数のワイヤレス通信装置が同じグループ識別子を転送するので、移動端末における受信パワーが増大する。
【０２２２】
次のステップＳ８１１において、プロセッサ４００は、ワイヤレスインタフェース４０５に、ダウンリンクチャネル上での信号の転送のためのＩＣＩＣパラメータセットを適用するために指令を出す。または、プロセッサ４００は、信号の転送のために移動端末ＨＢＳが用いるべきＩＣＩＣパラメータセットに関連する情報を転送することを指令する。
【０２２３】
その後、プロセッサ４００は本アルゴリズムを中断する。
【０２２４】
当然ながら、本発明の範囲から逸脱することなく、上述の本発明の各実施形態に対して多数の変更を加えることができる。
【図１】
2013511875.tif 000003
【図２】
2013511875.tif 000004
【図３】
2013511875.tif 000005
【図４】
2013511875.tif 000006
【図５】
2013511875.tif 000007
【図６】
2013511875.tif 000008
【図７】
2013511875.tif 000009
【図８】
2013511875.tif 000010
【国際調査報告】
2013511875.tif 000011
2013511875.tif 000012
2013511875.tif 000013
2013511875.tif 000014